(57)【要約】【課題】テープを回転ヘッドシリンダに所定の角度巻回して信号の入出力を行う磁気記録再生装置において、カセットよりテープを引き出すためのテープガイド部材の組み立てを容易にし、構成の自由度を向上させることを目的とする。【解決手段】Ｕ字状のボート板をボートに一体に構成した突起部に設けた段差部に水平にスライドさせて挿入し、ボート板の弾性変形させて組み立てることにより、組み立ての容易な磁気記録再生装置が得られる。【選択図】  図１５
2004296021.tif 000002
【特許請求の範囲】
【請求項１】
供給リールと巻取リールを内蔵したカセットよりテープポストがテープを引き出した後、回転ヘッドシリンダにテープを所定の角度、巻回してテープの記録再生を行なう磁気記録再生装置であって、テープポストが設けられたボートと、ボートに設けられた突起部と、前記突起部に設けられた段差部と、前記ボートをガイドする長穴部が設けられたレールと、Ｕ字状のボート板とを備え、前記突起部が前記レールの長穴部に挿入された後、前記ボート板が前記突起部に設けられた段差部に弾性変形させられて係合することにより、前記ボートが前記レールに対して摺動自在に組み立てられることを特徴とする磁気記録再生装置。
【請求項２】
Ｕ字状のボート板の開口部の内側に凸部を設けることを特徴とする請求項第１記載の磁気記録再生装置。
【請求項３】
ボートには、第１の突起部と第２の突起部が設けられ、前記第１の突起部と第２の突起部にはそれぞれ段差部が設けられ、前記第１の突起部と第２の突起部の段差部にボート板を弾性変形させて係合することを特徴とする請求項第１記載及び請求項第２記載の磁気記録再生装置。
【請求項４】
ボートの突起部に回動自在にボート駆動部材を設け、前記ボート駆動部材はレールとボート板との間に設けられることを特徴とする請求項第１、２，３記載の磁気記録再生装置。
【発明の詳細な説明】
【０００１】
【発明の属する技術分野】
本発明は、回転ヘッドシリンダにテープを所定の角度巻回して、信号の記録再生を行う磁気記録再生装置に関するものである。
【０００２】
【従来の技術】
近年、ビデオテープレコーダー等に用いられる磁気記録再生装置は、小型化、低価格化が進んでいる。
【０００３】
以下、従来の磁気記録再生装置について図１８，図１９を用いて説明する。図１８は、従来の磁気記録再生装置において、カセットからテープを引き出して、回転ヘッドシリンダーに所定の角度、巻回するためのテープ引き出し部材の側面図であり、図１９は、同テープ引き出し部材の裏面図である。図１８，図１９において、５０は、テープを引き出すためのポストで、５１は、ポスト５０が植立されたボートで、５１ａ、５１ｂは、ボート５１に一体に設けられた突起部である。５２はボート５１を案内するためのレールで、図示されないシャーシに設けられており、レール５２には長穴部５２ａが設けられている。５３はボート板で、ボートの突起部５１ａ、５１ｂがレールの長穴部５２ａに挿入された後、ねじ５４ａ、５４ｂによってボート板５３はボートの突起部５１ａ、５１ｂにねじ止めされている。５５はボート駆動部材で、ボートの突起部５１ｂに回動自在に、かつ、レール５２とボート板５３の間に取り付けられている。ボート５１は、図示されない駆動手段によって、ボート駆動手段５５を介して、レール５２に案内されて駆動され、カセットからテープを引き出して、回転ヘッドシリンダーに所定の角度、巻回する。
【０００４】
【特許文献１】
特開平１１−２７３１９４号公報
【０００５】
【発明が解決しようとする課題】
しかしながら従来の構成では、装置の組み立て時に、レールがシャーシに取り付けられた状態で、ボートをレールの長穴部に上方から挿入し、その後、ボート駆動部材をボートの突起部に挿入した後、ボート板を裏からねじ止めしなければならなかった。レールの下方向には、シャーシが存在しているため、この、ねじ止め作業は非常に困難であった。この作業を回避するには、レールに対して、あらかじめ、ボートや、ボート板、ボート駆動部材をねじでユニットにしておき、その後シャーシに取り付けるという方法を取らざるを得ず、この方法では、レールに高精度が要求されるボートがぶら下がった状態で、ユニットになるため、部品の移送や、部品精度の測定に困難を来すといった製造上の問題を有していた。また、ボート板を取り付けるのにねじが必要であり、部品点数が多くなるという問題点があった。
【０００６】
本発明は上記従来の問題点を解決するもので、組み立てが容易で部品点数の少ない磁気記録再生装置を提供することを目的とする。
【０００７】
【課題を解決するための手段】
この目的を達成するために、本発明の磁気記録再生装置は、供給リールと巻取リールを内蔵したカセットよりテープポストがテープを引き出した後、回転ヘッドシリンダにテープを所定の角度、巻回してテープの記録再生を行なう磁気記録再生装置であって、テープポストが設けられたボートと、ボートに設けられた突起部と、前記突起部に設けられた段差部と、前記ボートをガイドする長穴部が設けられたレールと、Ｕ字状のボート板とを備え、前記突起部が前記レールの長穴部に挿入された後、前記ボート板が前記突起部に設けられた段差部に弾性変形させられて係合することにより、前記ボートが前記レールに対して摺動自在に組み立てられるという構成を有している。
【０００８】
この構成によって、装置の組み立て時に、レールがシャーシに取り付けられた状態で、ボートをレールの長穴部に上方から挿入し、その後、ボート駆動部材をボートの突起部に挿入した後、ボート板を後ろから水平に差し込むだけで、ボートをレールに摺動自在に組み付けることが可能になり、また、ボート板を取り付けるのにねじが不要であり、組み立てが容易で部品点数の少ない磁気記録再生装置が得られる。
【０００９】
【発明の実施の形態】
本発明の請求項１に記載の発明は、供給リールと巻取リールを内蔵したカセットよりテープポストがテープを引き出した後、回転ヘッドシリンダにテープを所定の角度、巻回してテープの記録再生を行なう磁気記録再生装置であって、テープポストが設けられたボートと、ボートに設けられた突起部と、前記突起部に設けられた段差部と、前記ボートをガイドする長穴部が設けられたレールと、Ｕ字状のボート板とを備え、前記突起部が前記レールの長穴部に挿入された後、前記ボート板が前記突起部に設けられた段差部に弾性変形させられて係合することにより、前記ボートが前記レールに対して摺動自在に組み立てられることを特徴としたものであり、組み立てが容易で部品点数の少ない磁気記録再生装置が得られるという作用を有する。
【００１０】
本発明の請求項２に記載の発明は、Ｕ字状のボート板の開口部の内側に凸部を設けることを特徴とするものであり、ボート板をボートの突起部に挿入する際、ボート板の開口部の内側に設けられた凸部がボートの突起部を乗り越えることによりボート板の挿入時にクリックが発生し、それによって、ボート板が突起部から外れることが防止され、組み立てが容易で部品点数の少ない磁気記録再生装置が得られるという作用を有する。
【００１１】
本発明の請求項３に記載の発明は、ボートには、第１の突起部と第２の突起部が設けられ、前記第１の突起部と第２の突起部にはそれぞれ段差部が設けられ、前記第１の突起部と第２の突起部の段差部にボート板を弾性変形させて係合することを特徴とするものであり、二つの突起部の段差部にボート板が係合することにより、ボート板のガタが少なく、ボート板が安定して組み付けられ、組み立てが容易で部品点数の少ない磁気記録再生装置が得られるという作用を有する。
【００１２】
本発明の請求項４に記載の発明は、ボートの突起部に回動自在にボート駆動部材を設け、前記ボート駆動部材はレールとボート板との間に設けられることを特徴とするものであり、ボート駆動部材とボートとの組み立てが容易で部品点数の少ない磁気記録再生装置が得られるという作用を有する。
【００１３】
以下、本発明の実施の形態について、図１から図１７を用いて説明する。
【００１４】
（実施の形態１）
図１は、本発明の磁気記録再生装置のサブシャーシユニットの平面図である。図１において、１はサブシャーシ、２，６，９，１０はテープ引き出し部材である。１ｅはサブシャーシ１の手前端である。２はＴＲアームで、サブシャーシ１上の支点２ａ周りに回動自在に支持されている。２の一端の表方向にはＴＲポスト２ｂが、他端の裏方向にはＴＲアーム駆動ピン２ｃが設けてある。１０はＴ３アームで、サブシャーシ１上の支点１０ａ周りに回動自在に支持されている。１０の一端の表方向にはＴ３ポスト１０ｂが、他端の裏方向にはＴ３アーム駆動ピン１０ｃが設けてある。４はＳアームで、サブシャーシ１上の支点４ａ周りに回動自在に支持されている。４の一端の裏方向にはＳアーム駆動ピン４ｃが、他端の表方向にはＳリンクピン４ｂが設けてある。
【００１５】
Ｓリンクピン４ｂには、Ｓリンク５が回動自在に取り付けてあり、またＳリンク５の他端には、Ｓボート６がボス６ｂを介し回動自在に取り付けてある。７はＴアームで、Ｓアームと同様の構成である。Ｔアーム７は、サブシャーシ１上の支点７ａ周りに回動自在に支持され、一端の裏方向にはＴアーム駆動ピン７ｂが設けてある。８はＴリンクで、一端はＴリンクピン８ａを介しＴアーム７に対し回動自在に取り付けられてある。また、Ｔリンク８の他端には、Ｔボート９がボス９ｂを介し回動自在に取り付けてある。
【００１６】
Ｓボート６にはテープをガイドするＳローラポスト６ａが植立されてあり、Ｔボート９には、同じくテープをガイドするＴローラポスト９ａ及びＴ１ポスト９ｃが植立されてある。
【００１７】
このように全てのテープ引き出し部材はサブシャーシ１の上に設けられてある。
【００１８】
１１はＳリール台、１２はＴリール台で、それぞれ軸１１ａ，１２ａ周りに回動自在に支持されている。１１ｂはＳリール台１１の外周部に設けられたギア部で、１２ｂはＴリール台１２の外周部に設けられたギア部でる。Ｓリール台１１、Ｔリール台１２はカセット（図示せず）をサブシャーシ１に装着した際、カセットのリールハブと係合し、テープの巻き取りを行う。また、Ｓリール台１１の周囲にはテープ走行時のテープテンションを制御するためのブレーキバンド（ＴＲバンド）３が巻き付いており、ＴＲバンドの一端はＴＲアーム２の２ｄ部に回動自在に支持され、他端はサブシャーシ１上の３ａに回動自在に支持されている。そして、テープ走行時にはＴＲアーム２に取り付けたＴＲバネ２ｅの力により、ＴＲバンド３を介しＳリール台１１に負荷トルクが働く構成となっている。
【００１９】
１ｂはサブシャーシ調整板で、溝穴１ａがもうけてあり、またサブシャーシ１にねじ（図示せず）により固定されている。１ｃは、サブシャーシ１に設けられた長孔である。１ｄは、長孔１ｃの上部に設けられた大穴部である。なお、図１において、カバープレート下３６とカバープレート上３７及び、ホトセンサー３８ａ、３８ｂが省略されている。
【００２０】
次に本発明の磁気記録再生装置のメインシャーシユニットの構成について図２を用いて説明する。図２は、本発明の磁気記録再生装置のメインシャーシユニットの平面図である。２１はメインシャーシで、４本のカム溝穴２１ａ，２１ｂ，２１ｃ，２１ｄが設けてある。２１ｅはメインシャーシ２１の手前端で、Ｌ字状に構成されている。メインシャーシの手前端２１ｅは回転ヘッドシリンダ４１の方向に大きく切り欠かれている。２２は正逆回転可能なモータで、モータの回転力は、モータウォーム２３、連結ウォーム２４、そして、２５，２６のギアを介し、モードギア２７に伝えられる。モードギア２７は支点２７ａ周りに回動可能で上面に、サブシャーシ１（図１）と係合しサブシャーシを動かすサブシャーシ駆動ピン２７ｂが設けてある。２８はシリンダベースで３点２８ｃでメインシャーシにねじ止めされる。３つの２８ｄはシリンダ止め用ねじ穴で、このシリンダベース上に回転ヘッドシリンダ４１（図１では図示せず）をのせ、裏面からこの穴を用いシリンダをねじ止めする。また、２８ａ、２８ｂは、先に説明したサブシャーシ１上に搭載されたＳボート６、Ｔボート９がテープを引き出す際にガイドするガイド溝である。２９，３０は、弾性体であるねじりコイルバネで、所定の力でもって予圧を加えた状態でメインシャーシ２１上に固定されている。
【００２１】
３１は、キャプスタンで、キャプスタン軸３１ａが植立されており、図示されないピンチローラによってテープをキャプスタン軸３１ａとの間に押圧して挟んで回転し、テープを駆動する。３２はドライブギアで、メインシャーシ２１上の回転軸３２ａにより軸支されている。３２ｂはドライブギア３２に構成された上部ギアで、３２ｃはドライブギア３２に構成された下部ギアである。３３はタイミングベルトで、ドライブギア３２の上部ギア３２ｂとキャプスタン３１に一体に構成されたキャプスタンギア３１ｂに張架されている。３４はセンターギアで、メインシャーシ２１上の回転軸３４ａにより軸支されている。３４ｂはセンターギア３４に構成された上部ギアで、３４ｃはセンターギア３４に構成された下部ギアである。ドライブギア３２の下部ギア３２ｃとセンターギア３４の下部ギア３４ｃは、噛み合っている。（後述の図１０、１１、１２参照）。
【００２２】
図３は、アイドラ３５の平面図である。図３において、３５ａはアイドラアームで、回動軸３５ｂによりメインシャーシ２１上に回動自在に保持される。３５ｃはアイドラギアで、回転軸３５ｄによりアイドラアーム３５ａに回転自在に保持される。３５ｅはアイドラギア押圧部で、アイドラアーム３５ａと一体に構成されており、アイドラギア３５ｃを押圧しており、アイドラギア３５ｃの回転負荷トルクを発生させている。
【００２３】
図４は、カバープレート上及びカバープレート下を省略した本発明の磁気記録再生装置のカセット装着状態での平面図である。図５は、カバープレート上及びカバープレート下を省略した本発明の磁気記録再生装置のローディング途中状態での平面図である。図６は、カバープレート上及びカバープレート下を省略した本発明の磁気記録再生装置の記録再生装着状態での平面図である。図７は、本発明の磁気記録再生装置のカセット装着状態での平面図である。図８は、本発明の磁気記録再生装置のローディング途中状態での平面図である。図９は、本発明の磁気記録再生装置の記録再生装着状態での平面図である。図１０は、図７中の断面指示線Ｇ１における部分断面図である。図１１は、図８中の断面指示線Ｇ２における部分断面図である。図１２は、図９中の断面指示線Ｇ２における部分断面図である。なお、図４，５，６において、カバープレート下３６とカバープレート上３７及び、ホトセンサー３８ａ、３８ｂが省略されている。また、図８では、サブシャーシ１とメインシャーシ２１上の構成部品のいくつかが省略されている。
【００２４】
以下、図４、５、６、７、８、９、１０、１１、１２において本発明の磁気記録再生装置の構成と動作を説明する。
【００２５】
図４、５、６、７、８、９、１０、１１、１２において前述したように、ドライブギア３２は、メインシャーシ２１上の回転軸３２ａにより軸支されている。３２ｂはドライブギア３２に構成された上部ギアで、３２ｃはドライブギア３２に構成された下部ギアである。３３はタイミングベルトで、ドライブギア３２の上部ギア３２ｂとキャプスタン３１に一体に構成されたキャプスタンギア３１ｂに張架されている。３４はセンターギアで、メインシャーシ２１上の回転軸３４ａにより軸支されている。３４ｂはセンターギア３４に構成された上部ギアで、３４ｃはセンターギア３４に構成された下部ギアである。ドライブギア３２の下部ギア３２ｃとセンターギア３４の下部ギア３４ｃは、噛み合っている。アイドラ３５の回動軸３５ｂは、メインシャーシ２１に設けられた回転軸３４ａのボス部３４ｆに挿入され、カットワッシャー３５ｆによって保持されている。センターギア３４の上部ギア３４ａは、アイドラギア３５ｃと噛み合っている。メインシャーシ２１に設けられた回転軸３４ａは、サブシャーシ１に設けられた長孔１ｃを貫通している。このようにしてキャプスタン３１の回転は、タイミングベルト３３、ドライブギア３２、センターギア３４を介してアイドラ３５に伝わり、アイドラ３５は、キャプスタンの回転方向によって、Ｓリール台１１の外周に設けられたギア部１１ｂもしくは、Ｔリール台１２の外周に設けられたギア部１２ｂと噛み合って、Ｓリール台１１もしくはＴリール台１２を回転駆動する。
【００２６】
３６はサブシャーシ１上に設けられたカバープレート下で、その上面には、カセット３９に設けられた図示されないリールロック機構を解除するためのリールロック解除部３６ａが設けられている。リールロック解除部３６ａは、カセット装着時にカセット内に挿入されて、カセット内のリールロック機構を解除する。３７はサブシャーシ１上に設けられたカバープレート上で、その上面には、ＬＥＤ３７ａが設けられており、ＬＥＤ３７ａが発光した光がカセット内部を通過した後、サブシャーシ１の両側に設けられたホトセンサー３７ａ、３７ｂによって感知されることにより、テープの始終端の検知を行う。
【００２７】
本発明の磁気記録再生装置の組立てにおいて、図１のサブシャーシユニットを、図２のメインシャーシユニットの上に積み重ねてた後、図３のアイドラ３５を搭載して組み立てる。サブシャーシユニットとメインシャーシユニットの組立て時に、センターギア３４の上部ギア３４ａは、サブシャーシ１の長孔１ｃの上部に設けられた大穴部１ｄより、挿入される。アイドラ３５は、図８、１１の状態で、カバープレート下３６とカバープレート上３７の間の間隙より挿入される。これにより、本発明の磁気記録再生装置は、サブシャーシユニットとメインシャーシユニットという大きな２つのユニット構成部品に分解することができる。
【００２８】
図４、図７において、サブシャーシ１は、メインシャーシ２１に対し矢印Ａ方向に図示されないガイド手段により摺動可能な状態でガイドされている。また、ＴＲアーム２のＴＲアーム駆動ピン２ｃは、メインシャーシ２１のカム溝２１ａに摺動可能に係合し、Ｔ３アーム１０のＴ３アーム駆動ピン１０ｃはカム溝２１ｃに、Ｓアーム４のＳアーム駆動ピン４ｃはカム溝２１ｂに、そしてＴアーム７のＴアーム駆動ピン７ｂは、カム溝２１ｄに摺動可能に係合している。また、メインシャーシ２１にあるモードギア２７上のサブシャーシ駆動ピン２７ｂは、サブシャーシ調整板１ｂ（図示せず）の溝穴１ａに摺動可能に係合している。図４で、各テープ引き出し部材の引き出しポスト２ｂ，６ａ，９ａ，１０ｂは全てテープ４０の手前、カセット開講部の中にある。この状態から、モータ２３が回転すると、モードギア２７が矢印Ｂ方向に回転し、サブシャーシ駆動ピン２７ｂも矢印Ｂ方向に回転し、このサブシャーシ駆動ピン２７ｂがサブシャーシ調整板の溝穴１ａを駆動し、サブシャーシが矢印Ａ方向に移動する。
【００２９】
ここで図１３を用いてサブシャーシ１がモードギア２７により駆動される動作について説明する。ここでは、サブシャーシ１に固定されているサブシャーシ調整板１ｂの動作を持ってこれを説明する。
【００３０】
図１３において、（１）はカセット取り出し位置の状態で、図４、７、１０と同じ位置の図である。（１）においてサブシャーシ調整板１ｂの溝穴１ａの構成について説明する。溝穴１ａは、円弧部“あ”とこれに連続する円弧部“い”と直線部“う”からなる。円弧部“あ”と“い”は、図に見るように反対の方向に凸形状をしている。（２）の状態は、カセット挿入位置である。（１）と（２）において、サブシャーシ駆動ピン２７ｂは、円弧部“あ”の間を進み２７ｂ２の位置にくる。円弧部“あ”は、モードギア２７の回転中心２７ａを中心とする円弧形状であり、サブシャーシ駆動ピン２７ｂの回転円弧と同芯円をしている。そのため、サブシャーシ調整板１ｂは矢印Ａ方向へ移動しないこととなる。これは、カセット取り出し位置と、カセット挿入位置の間では、サブシャーシは停止している必要があり、この間では移動していないことを示している。
【００３１】
次にさらにモードギア２７が矢印Ｂ方向に回転すると、（３）のように、サブシャーシ駆動ピンは、２７ｂ３の位置に至り、円弧部“い”に入ってくる。円弧部“い”はこの位置にては、モードギア２７と同芯円をしていないため、サブシャーシ調整板１ｂは、サブシャーシ駆動ピン２７ｂ３に押されて矢印Ａ方向に移動している。これは、サブシャーシ（図示せず）が同様に矢印Ａ方向に移動していることを示す。さらにモードギア２７が矢印Ｂ方向に回転すると、（４）に示すようにサブシャーシ駆動ピンは２７ｂ４に至る。この時、サブシャーシ駆動ピンは溝穴１ａの直線部“う”と係合しており、サブシャーシは、矢印Ａ方向に移動を続けている。そしてさらにモードギア２７が矢印Ｂ方向に回転を続けると（５）に示すようにサブシャーシ駆動ピンは２７ｂ５に至り、再び円弧部“い”に入ってくる。（５）の状態に於いては、溝穴“い”部は、サブシャーシ駆動ピン２７ｂ５の回転円弧と同芯円をしている。従って、サブシャーシ調整板１ｂは矢印Ａ方向へ移動せず停止する。この状態は、図６、９、１２と同じ状態で、テープカセット内よりテープが引き出された位置にサブシャーシが来た状態でストップ状態という位置である。従って、これ以上サブシャーシは移動できない。一方、モードギアは、これ以降もテープを走行させる位置（プレイモード）を形成するためにさらにＢ方向に回転する。しかし、先に述べてように、サブシャーシ駆動ピン２７ｂ５は、円弧部“い”に有るためサブシャーシ調整板１ｂは矢印方向に移動せず、（６）の状態、つまりプレイ位置に至る。また、モードギア２７が矢印Ｂ方向と逆方向に回転した場合、これらとは逆方向の動きで、サブシャーシ調整板は矢印Ａ方向とは逆方向に移動する。図６、９、１２の状態、及び、（５）、（６）の状態は、回転ヘッドシリンダ４１にテープが所定の角度巻回されてテープ走行系が完成された状態である。このように、単純に回転運動するモードギア２７に直接サブシャーシ駆動ピン２７を植立させても、サブシャーシ側の溝穴１ａの形状を工夫する事により、所定の区間サブシャーシを停止させ、また移動させることができる。さらに、本発明の溝穴１ａの溝幅は、サブシャーシ駆動ピン２７ｂの直径と略略同じでよいため、ここに余計な隙間を設けることなく、安定してサブシャーシを駆動することができる。以上サブシャーシの駆動方法を説明した。
【００３２】
次に図４から図５、図６（図７から図８、図９または図１０から図１１、図１２）とサブシャーシ１が移動し、テープが引き出される動作を説明する。図５は図４からサブシャーシが矢印Ａ方向に少し進んだ状態である。本図において、サブシャーシ駆動ピン２７ｂとサブシャーシ調整板の溝穴１ａの位置関係は、先に図１３にて説明した様に、モードギア２７が矢印Ｂ方向に回転し（３）テープ引き出し途中１の位置に来た状態である。図５においては、前述したように各引き出し部材２，４，７，１０の各々の駆動ピン２ｃ、４ｃ、７ｂ、１０ｃが、メインシャーシ２１のカム溝２ａ、２１ｂ、２１ｃ、２１ｄと各々係合しており、これに規制されて各々矢印Ｃ，Ｄ，Ｅ，Ｆ方向に回転し、本図の状態まで引き出されている。テープ引き出し部材であるＳボート６，Ｔボート９は、シリンダベース２８のガイド溝２８ａ，２８ｂにガイドされ図５の位置まで引き出されている。そしてこの結果、テープは４０ｂの状態まで引き出されている。
【００３３】
さらに、モードギア２７が矢印Ｂ方向に回転し、サブシャーシ１がさらに矢印Ａ方向に移動し、テープ４０ｂが回転ヘッドシリンダ４１に巻回し磁気記録再生ができる状態まで来た位置が図６、９、１２である。図６、９、１２の状態は、サブシャーシ駆動ピン２７ｂと溝穴１ａの位置関係は、図１３の（５）ストップ状態に来た状態である。図１３の（６）はさらにモードギア２７が矢印Ｂ方向に回転し、ピンチローラ（図示せず）がキャプスタン軸３３にテープを押圧し、キャプスタン軸３３が回転して、テープ４０Ｃを駆動する状態（プレイモード）である。（５）から（６）の状態にモードギア２７が矢印Ｂ方向に回転しても、サブシャーシ１は矢印Ａ方向に移動せず図６、９、１２の位置を保つことができる。
【００３４】
また、図６、９、１２の状態において、テープ引き出し部材であるＳボート６は、ねじりコイルバネ２９（図６には図示せず）によりＳアーム４、Ｓリンク５を介し位置決め部２８ｃに押圧され位置決めされている。同様にＴボート９は、ねじりコイルバネ３０（図６には図示せず）により、Ｔアーム９，Ｔリンク８を介し位置決め部２８ｄに押圧され位置決めされている。
【００３５】
この押圧位置決め機構を、図１４，図１５にて説明する。図１４は、図６、図９の要部を抜き出した図である。図１４において、Ｓボート６の押圧位置決め方法について説明する。サブシャーシ１上のＳアーム４は、Ｓアーム駆動ピン４ｃがメインシャーシ２１上のカム溝２１ｂにガイドされながら図１４の状態に至る。この状態において、ＳＳアーム駆動ピン４Ｃはメインシャーシ２１上に装着されている弾性体であるねじりコイルバネ２９に当接したわませるように構成されている。従ってＳアーム７は、ねじりコイルバネ２９の力により回転中心２９ａ周りにＤ方向に回転力を受ける。この力により、Ｓリンクは矢印Ｄ１方向に、Ｓボート６は矢印Ｄ２方向に押圧され、シリンダベース２８上に存在する位置決め部２８Ｃに押圧位置決めされテープの引き出しが完了する。同様に、Ｔボート９も、弾性体であるねじりコイルバネ３０によりＴアーム７は、ねじりコイルバネ３０の力により回転中心３０ａ周りにＥ方向に回転力を受ける。この力により、Ｔリンクは矢印Ｅ１方向に、Ｔボート９は矢印Ｅ２方向に押圧され、シリンダベース２８上に存在する位置決め部２８ｄに押圧位置決めされテープの引き出しが完了する。このようにＳボート６、Ｔボート９の押圧機構としては、メインシャーシ２１に弾性体であるねじりコイルバネを固定しておくだけでよく極めて単純な構成で各ボートの位置決め機構が構成されて、部品点数の削減、省スペース化、品質の向上に貢献している。
【００３６】
次に、Ｓボート６の位置決め機構について、図１５を用いて説明する。図１５は、Ｓボート位置決め機構の上面図（１）、側面図（２）、裏面図（３）で、各要素を模式的に描いた図である。図１５において、弾性体であるねじりコイルバネ２９によりＳアームはＡ方向に付勢され、これによりＳボート６は、Ｓボート６と一体に設けられた突起部６ｂをＳリンク５により押圧される。Ｓボート６の下部前方には平面方向から見て反円弧状の突起部６ｄがＳボート６と一体に設けてあり、またシリンダベースの回転ヘッドシリンダ４１近傍の裏面には、その法線がＳボート６の進行方向Ｂとは逆方向で且つ下向きの矢印Ｃ方向を向くような斜面が設けてある。
【００３７】
次に、図１５をもちいてＳボートの押圧決め機構の動作について説明する。Ｓリンク５により下部を押圧されたＳボートは、その先端部の突起部６ｄがシリンダベース２８の斜面２８ｃに押圧される。これによりＳボート全体は矢印Ｂ方向に押圧されると同時に、矢印Ｃそして、Ｓボート６の下方をＢ方向に押圧されるため矢印Ｄ方向の力も受け、結果として、Ｓボート６の下面６ｃ（３点）はシリンダベース上面２８ｄに沿うこととなる。シリンダベース上面２８ｄ、およびＳボート下面は精度よく形成されており、これらが当接する事により、Ｓボート６は精度よくシリンダベース２８位置決めされることとなる。このように、Ｓボート６の一部に一体に突起部６ｄを設け、シリンダベース２８側には一体に斜面を設けるという単純な構成により、精度よくテープ引き出し部材であるＳボート６を位置決めすることができる。Ｓボート６の上には、テープ走行上、メインシャーシに対する傾き精度が極めて重要であるテープガイドポストである、Ｓ１ポスト６ａが植立されている。
【００３８】
図１６は、図１５の（３）中の断面指示線Ｇ４におけるＳボートの断面図である。図１７は、図１５の（３）中の断面指示線Ｇ５におけるＳボートの断面図である。図１５の（３）、図１６、図１７を用いて、Ｓボートの構成とその組み立て方法について説明する。６ｅはＵ字形状をしたボート板である。６ｈは、ボート板６ｅの開口部の内側に設けられた凸部である。６ｆはＳボート６に一体に設けられた突起部６ｄに設けられた段差部で、６ｇはＳボート６に一体に設けられた突起部６ｄに設けられた段差部である。Ｓボートの突起部６ｂと６ｄは、Ｓボート６を案内するためのレールであるシリンダーベース２８に設けられた長穴形状をしたガイド溝２８ａに挿入された後、突起部６ｂには、Ｓリンク５が回動自在に挿入される。その後、ボート板６ｅが図１５の（３）中のＢ方向より挿入され、ボート板６ｅは突起部６ｂ、６ｄの段差部６ｆ、６ｇに係合して取り付けられる。また、ボート板をボートの突起部に挿入する際、ボート板６ｅの内側の凸部６ｈが、突起部の段差部６ｆ、６ｇを乗り越えることにより、ボート板の挿入時にクリックが発生し、それによって、ボート板が突起部から外れることが防止される。
【００３９】
以上のように本実施の形態１によれば、供給リールと巻取リールを内蔵したカセットよりテープポストであるローラポスト６ａがテープを引き出した後、回転ヘッドシリンダ４１にテープを所定の角度、巻回してテープの記録再生を行なう磁気記録再生装置であって、ローラポスト６ａが設けられたＳボート６と、Ｓボート６に設けられた突起部６ｄ、６ｂと、突起部６ｄ、６ｂに設けられた段差部６ｆ、６ｇと、Ｓボート６をガイドする長穴部２８ａが設けられたレールであるシリンダーベース２８と、Ｕ字状のボート板６ｅとを備え、突起部６ｄ、６ｂがレールの長穴部２８ａに挿入された後、ボート板６ｅが突起部６ｄ、６ｂに設けられた段差部６ｆ、６ｇに弾性変形させられて係合することにより、Ｓボート６がレールであるシリンダーベース２８に対して摺動自在に組み立てられることにより、組み立てが容易で部品点数の少ない磁気記録再生装置が実現できる。
【００４０】
また、Ｕ字状のボート板６ｅの開口部の内側に凸部６ｈを設けることにより、ボート板６ｅをボートの突起部６ｄ、６ｂに挿入する際、ボート板６ｅの開口部の内側に設けられた凸部６ｈがボートの突起部６ｄ、６ｂを乗り越えることによりボート板６ｅの挿入時にクリックが発生し、それによって、ボート板６ｅが突起部６ｄ、６ｂから外れることが防止され、組み立てが容易で部品点数の少ない磁気記録再生装置が実現できる。
【００４１】
また、Ｓボート６ｅには、第１の突起部６ｂと第２の突起部６ｄが設けられ、第１の突起部６ｂと第２の突起部６ｄにはそれぞれ段差部６ｆ、６ｇが設けられ、第１の突起部６ｂと第２の突起部６ｄの段差部６ｆ、６ｇにボート板６ｅを弾性変形させて係合することにより、二つの突起部の段差部６ｂ、６ｄにボート板６ｅが係合することにより、ボート板６ｅのガタが少なく、ボート板６ｅが安定して組み付けられ、組み立てが容易で部品点数の少ない磁気記録再生装置が実現できる。
【００４２】
また、Ｓボート６の突起部６ｂに回動自在にボート駆動部材であるＳリンク５を設け、Ｓリンク５はレールであるシリンダーベース２８とボート板６ｅとの間に設けられることにより、Ｓリンク５とＳボート６との組み立てが容易で部品点数の少ない磁気記録再生装置が実現できる。
【００４３】
【発明の効果】
以上のように本発明は、ボートに第１の突起部と第２の突起部を設け、第１の突起部と第２の突起部にはそれぞれ段差部を設け、ボートをガイドする長穴部が設けられたレールと、Ｕ字状のボート板とを備え、Ｕ字状のボート板の開口部の内側に凸部を設け、ボートの突起部に回動自在にボート駆動部材を設け、ボート駆動部材はレールとボート板との間に設け、突起部がレールの長穴部に挿入された後、ボート板が突起部に設けられた段差部に弾性変形させられて係合することにより、装置の組み立て時に、レールがシャーシに取り付けられた状態で、ボートをレールの長穴部に上方から挿入し、その後、ボート駆動部材をボートの突起部に挿入した後、ボート板を後ろから水平に差し込むだけで、ボートをレールに摺動自在に組み付けることが可能になり、また、ボート板を取り付けるのにねじが不要であり、また、ボート板をボートの突起部に挿入する際、ボート板の開口部の内側に設けられた凸部がボートの突起部を乗り越えることによりボート板の挿入時にクリックが発生し、それによって、ボート板が突起部から外れることが防止され、二つの突起部の段差部にボート板が係合することにより、ボート板のガタが少なく、ボート板が安定して組み付けられ、レールとボート駆動部材とボートとの組み立てが容易で、レールやボートといった高精度の部品のユニットの構成の自由度を向上させ、部品点数の少ない磁気記録再生装置が実現できるという優れた効果が得られる。
【図面の簡単な説明】
【図１】本発明の実施の形態における磁気記録再生装置のサブシャーシユニットの平面図
【図２】本発明の実施の形態における磁気記録再生装置のメインシャーシユニットの平面図
【図３】本発明の実施の形態におけるアイドラの平面図
【図４】本発明の実施の形態におけるカバープレート上及びカバープレート下を省略した磁気記録再生装置のカセット装着状態での平面図
【図５】本発明の実施の形態におけるカバープレート上及びカバープレート下を省略した磁気記録再生装置のローディング途中状態での平面図
【図６】本発明の実施の形態におけるカバープレート上及びカバープレート下を省略した磁気記録再生装置の記録再生装着状態での平面図
【図７】本発明の実施の形態における磁気記録再生装置のカセット装着状態での平面図
【図８】本発明の実施の形態における磁気記録再生装置のローディング途中状態での平面図
【図９】本発明の実施の形態における磁気記録再生装置の記録再生装着状態での平面図
【図１０】本発明の実施の形態における磁気記録再生装置の図７中の断面指示線Ｇ１における部分断面図
【図１１】本発明の実施の形態における磁気記録再生装置の図８中の断面指示線Ｇ２における部分断面図
【図１２】本発明の実施の形態における磁気記録再生装置の図９中の断面指示線Ｇ２における部分断面図
【図１３】本発明の実施の形態におけるサブシャーシの駆動メカニズムの平面図
【図１４】本発明の実施形態におけるテープ引き出し部材の押圧部構成の平面図
【図１５】本発明の実施形態におけるテープ引き出し部材の位置決め方法を示す模式図
【図１６】本発明の実施形態における断面指示線Ｇ４におけるＳボートの断面図
【図１７】本発明の実施形態における断面指示線Ｇ５におけるＳボートの断面図
【図１８】従来の磁気記録再生装置におけるテープ引き出し部材の側面図
【図１９】従来の磁気記録再生装置におけるテープ引き出し部材の裏面図
【符号の説明】
５  Ｓリンク
６  Ｓボート
６ａ  ローラポスト
６ｂ、６ｄ  Ｓボートに設けられた突起部
６ｅ  ボート板６ｅ
６ｆ、６ｇ  突起部に設けられた段差部
６ｈ  ボート板の開口部内側の凸部
２８  シリンダーベース
２８ａ  シリンダーベースの長穴部
３９  テープカセット
４１  回転ヘッドシリンダ
【図１】
2004296021.tif 000003
【図２】
2004296021.tif 000004
【図３】
2004296021.tif 000005
【図４】
2004296021.tif 000006
【図５】
2004296021.tif 000007
【図６】
2004296021.tif 000008
【図７】
2004296021.tif 000009
【図８】
2004296021.tif 000010
【図９】
2004296021.tif 000011
【図１０】
2004296021.tif 000012
【図１１】
2004296021.tif 000013
【図１２】
2004296021.tif 000014
【図１３】
2004296021.tif 000015
【図１４】
2004296021.tif 000016
【図１５】
2004296021.tif 000017
【図１６】
2004296021.tif 000018
【図１７】
2004296021.tif 000019
【図１８】
2004296021.tif 000020
【図１９】
2004296021.tif 000021